(57)【要約】【課題】スキャナ回転部における発熱を抑え、高速スキャンや螺旋スキャンに対応できる大容量のＸ線ＣＴ装置を提供する。【解決手段】寝台に載置した被検体６を所定位置まで挿入する開口部１２ｃを有するスキャナ回転部１２は、第一の回転部１２ａと第二の回転部１２ｂとを有しており、第一の回転部１２ａの外周部にＸ線管５およびＸ線検出器７を支持し、第二の回転部１２ｂ内にＸ線高電圧装置１１およびラジエータ１３を収納配置し、この第二の回転部１２ｂにブラシ１０ａ〜１０ｄとスリップリング１０ｅ〜１０ｈからなる電力・信号伝送部１０を構成した。【選択図】図１
2005118070.tif 000002
【特許請求の範囲】
【請求項１】
コンバータを含む直流電源部と、この電源からの直流電圧を交流に変換するインバータと、このインバータからの交流電圧を昇圧し整流する高電圧発生装置と、この高電圧発生装置からの直流電圧が供給されてＸ線を放射するＸ線管と、このＸ線管から放射され被検体を透過したＸ線の透過Ｘ線を検出するＸ線検出装置と、被検体を挟んで上記Ｘ線管と上記Ｘ線検出装置とを対向させて被検体の周りで回転させるスキャナ回転部と、上記Ｘ線検出装置からの出力信号を処理して診断部位の断層像を再構成する画像処理装置と、この画像処理装置からの出力信号を入力して断層像を表示する画像表示装置とを備え、上記スキャナ回転部は上記Ｘ線管と上記Ｘ線検出装置とを対向させた径大の第一の回転部と、この第一の回転部より径小の第二の回転部とを有するＸ線ＣＴ装置において、上記第二の回転部をほぼ円筒状に構成し、その内部に、上記インバータと上記高電圧発生装置とからなるＸ線高電圧装置の少なくとも一部を収納配置したことを特徴とするＸ線ＣＴ装置。
【請求項２】
請求項１記載のものにおいて、上記スキャナ回転部の上記第二の回転部内に配置した上記コンバータおよびインバータはパワーデバイスを有して構成し、このパワーデバイスを上記スキャナ回転部の回転中心軸近傍に配置したことを特徴とするＸ線ＣＴ装置。
【請求項３】
請求項１記載のものにおいて、上記第二の回転部に、その内外を連通する気流を形成する送風手段を設けたことを特徴とするＸ線ＣＴ装置。
【発明の詳細な説明】
【技術分野】
【０００１】
本発明は、被検体の診断部位にＸ線を放射しその透過Ｘ線から断層像を再構成して画像表示するＸ線ＣＴ装置に関する。
【背景技術】
【０００２】
一般にＸ線ＣＴ装置は、円弧状に配列した検出素子群で構成したＸ線検出器をスキャナ回転部に支持し、このスキャナ回転部の被検体を挟んでＸ線検出器に対向した位置にＸ線管を支持し、これら一体的に構成したスキャナ回転部を被検体の周りを回転可能に構成し、Ｘ線管からの扇状のＸ線ビームを被検体に照射し、被検体を透過したＸ線をＸ線検出器で検出し、この検出したデータを処理装置で処理して被検体の断層像を画像表示装置に表示するように構成している。このようなＸ線ＣＴ装置においては、螺旋スキャンによる撮影の長時間化やスキャン時間の高速化に対応するためにＸ線高電圧装置が大容量化し、またマルチスライスに対応するＸ線検出器の多素子化のためにスキャナ回転部への搭載物の重量が増大している。スキャナ回転部は、その中央に被検体を撮影位置に載置するための開口部を形成しなければならないためにその直径が約１ｍ程度にもなり、同部の慣性モーメントが非常に大きくなり、例えば、これに高電圧発生装置やＸ線検出器等を搭載してO.５秒以下で回転させると、これによって搭載物は重力の１０倍〜２０倍（１０G〜２０G）ほどの遠心力を受けるようになる。このような過酷な条件でスキャナ回転部に搭載される搭載物を動作させるには、搭載物の機械的強度を従来のものより非常に大きくしなければならないが、使用する搭載物中電気部品については通常保証値が１０Gまでであり、機械的強度を上げると搭載物の重量がさらに増大するので、スキャナ回転部の高速化に限界を生じさせてしまう。
【０００３】
これに対して、スキャナ回転部を少なくとも第一の回転部とこの第一の回転部よりも回転径の小さい第二の回転部とを連結部材で連結して構成し、第一の回転部には少なくともＸ線管とＸ線検出器を搭載し、第二の回転部には少なくとも電力給電部と信号伝送部とを搭載する構成とし、重量の大きいＸ線管とＸ線検出器を搭載した第一の回転部の遠心力を小さくし、スキャナ回転部を高速回転させても、この高遠化に対応したスキャナ回転部や搭載物の機械的強度の確保を容易にしたＸ線ＣＴ装置が提案されている（例えば、特許文献１参照）。
【０００４】
【特許文献１】特開２００３−７０７７７号公報
【発明の開示】
【発明が解決しようとする課題】
【０００５】
しかしながら、従来のＸ線ＣＴ装置は、Ｘ線出力の増加つまりＸ線高電圧装置の大容量化に伴って、スキャナ内部の温度上昇も極めて大きな問題となりつつあるが、この点は特段の解決課題とはしていなかった。
【０００６】
本発明の目的は、スキャナ回転部における発熱を抑え、高速スキャンや螺旋スキャンに対応できる大容量のＸ線ＣＴ装置を提供するにある。
【課題を解決するための手段】
【０００７】
本発明は上記目的を達成するために、コンバータを有する直流電源部と、この電源からの直流電圧を交流に変換するインバータと、このインバータからの交流電圧を昇圧し整流する高電圧発生装置と、この高電圧発生装置からの直流電圧が供給されてＸ線を放射するＸ線管と、このＸ線管から放射され被検体を透過したＸ線の透過Ｘ線を検出するＸ線検出装置と、被検体を挟んで上記Ｘ線管と上記Ｘ線検出装置とを対向させて被検体の周りで回転させるスキャナ回転部と、上記Ｘ線検出装置からの出力信号を処理して診断部位の断層像を再構成する画像処理装置と、この画像処理装置からの出力信号を入力して断層像を表示する画像表示装置とを備え、上記スキャナ回転部は上記Ｘ線管と上記Ｘ線検出装置とを対向させた径大の第一の回転部と、この第一の回転部より径小の第二の回転部とを有するＸ線ＣＴ装置において、上記第二の回転部をほぼ円筒状に構成し、その内部に、上記インバータと上記高電圧発生装置とからなるＸ線高電圧装置の少なくとも一部を収納配置したことを特徴とする。
【０００８】
また請求項２に記載の本発明は、請求項１記載のものにおいて、上記スキャナ回転部の上記第二の回転部内に配置した上記コンバータおよびインバータはパワーデバイスを有して構成し、このパワーデバイスを上記スキャナ回転部の回転中心軸近傍に配置したことを特徴とする。
【０００９】
さらに請求項３に記載の本発明は、請求項１記載のものにおいて、上記第二の回転部に、その内外を連通する気流を形成する送風手段を設けたことを特徴とする。
【発明の効果】
【００１０】
本発明のＸ線ＣＴ装置によれば、第二の回転部の内部に、Ｘ線高電圧装置の少なくとも一部を収納配置したため、スキャナ回転部の回転による慣性モーメントおよび遠心力をより小さくすることができ、高速化に対応したスキャナ本体や搭載物の機械的強度め確保が容易になり、また、第二の回転部の構造を利用して発熱部の熱的遮蔽を容易に行ったり冷却のための気流を容易に形成することができ、高速スキャンやら旋スキャンに対応できる大容量のＸ線管装置やマルチスライス対応のＸ線検出器のスキャナヘの搭載が可能となり、心臓診断に適用できる高速スキャン、高画質の断層画像が得られるＸ線ＣＴ装置とすることができる。
【００１１】
また請求項２に記載の本発明のＸ線ＣＴ装置によれば、特に機械強度上の問題となるＩＧＢＴをスキャナ回転部の回転中心軸近傍に配置したため、スキャナ回転部の回転によって加わる慣性モーメントおよび遠心力を抑制することができ、信頼性を確保することができる。
【００１２】
さらに請求項３に記載の本発明のＸ線ＣＴ装置によれば、第二の回転部に、その内外を連通する気流を形成する送風手段を設けたため、第二の回転部の形状を活用して発熱源となるＸ線高電圧装置の冷却を積極的に行なうことができる。
【発明を実施するための最良の形態】
【００１３】
以下、本発明の実施の形態を図面に基づいて詳細に説明する。
図１は、本発明の一実施の形態によるＸ線ＣＴ装置の概略を示す回路構成図であり、このＸ線ＣＴ装置は、商用三相交流電源１と、スリップリング１０ａ〜１０ｄとブラシ１０ｅ〜１０ｈから構成した電力・信号伝送部１０と、制御ユニット２および高電圧発生装置３とを有したＸ線高電圧装置１１と、このＸ線高電圧装置１１の出力側に接続した中性点接地型のＸ線管５と、被検体６を介してＸ線管５に対向配置したＸ線検出部７と、このＸ線検出部７で検出した透過Ｘ線を検出して被検体６の断層像を得る画像処理装置８と、この画像処理装置８による断層像を表示する画像表示装置９とを有している。
【００１４】
制御ユニット２は、電力・信号伝送部１０を介して入力した交流電圧を直流電圧に変換するコンバータ２１と、この直流電圧を平滑する平滑コンデンサ２２と、この直流電圧を高周波の交流に変換すると共にＸ線管５に印加する電圧すなわち管電圧の制御を行うインバータ２３と、コンバータ２１の出力電圧を高電圧変圧器３１の漏れインダクタンスとで共振を起こさせ十分な電力を得るための共振コンデンサとを有しており、この共振コンデンサ２４は高電圧変圧器３１の漏れインダクタンスの影響で高周波の電流が高電圧変圧器３１の巻線に十分流れないことを改善する目的で挿入してあり、その必要の無い場合は挿入しなくともよいが、ここでは便宜上制御ユニット２に含むものとして説明している。
【００１５】
高電圧発生装置３は、インバータ２３からの高周波交流電圧を昇圧する高電圧変圧器３１と、その出力を整流する高電圧整流器３２と、この高電圧整流器３２の出力側に設けた高圧平滑コンデンサ３３と、Ｘ線管５のフィラメントに電力を供給するための図示しないフィラメント加熱用変圧器を内蔵している。この高電圧発生装置３から出力される直流電圧は高電圧ケーブル４によって負荷であるＸ線管５に送られており、このＸ線管５での発熱を抑制するためにラジエータ１３を設けている。Ｘ線検出部７は、Ｘ線管５から放射され被検体６を透過した透過Ｘ線の線量分布を検出すると共に、その検出信号を増幅するもので、透過Ｘ線の線量分布を検出する検出器７ａと、この検出器７ａからの検出信号を増幅するプリアンプ７ｂとから成る。
【００１６】
寝台に載置した被検体６を所定位置まで挿入する開口部１２ｃを有するスキャナ回転部１２は、詳細を後述するように径大の第一の回転部１２ａと、径小の第二の回転部１２ｂとを有しており、第一の回転部１２ａの外周部にＸ線管５およびＸ線検出器７を支持し、ほぼ円筒状に構成した第二の回転部１２ｂ内に上述したＸ線高電圧装置１１およびラジエータ１３を収納配置している。また、電力・信号伝送部１０は、スキャナ回転部１２の第二の回転部１２ｂに設けた複数のスリップリング１０ｅ〜１０ｈと、これに対応するブラシ１０ａ〜１０ｄとで構成され、スリップリング１０ｅ〜１０ｇとブラシ１０ａ〜１０ｃで三相商用電源１からの交流電圧をコンバータ２１に供給し、またスリップリング１０ｈとブラシ１０ｄとでＸ線検出部７からの検出信号を画像処理装置８へ送るように構成されている。
【００１７】
図２は、上述したスキャナ回転部１２の具体的な構成を示す斜視図である。
スキャナ回転部１２は、軸方向中央部に被検体６を挿入するための開口部１２ｃを有すると共に、少なくともＸ線管５とＸ線検出部７を搭載した径大の第一の回転部１２ａと、この第一の回転部１２ａとほぼ同軸的に配置されると共に、被検体６が接触しない位置に配置した径小の第二の回転部１２ｂと、第一の回転部１２ａと第二の回転部１２ｂ間を機械的に連結した連結部材１４とを有している。第二の回転部１２ｂ内からは高電圧ケーブル４ａ，４ｂとラジエータホース１５が導出され、これらは連結部材１４などによって支持させながらＸ線管５に接続している。
【００１８】
図１に示した電力・信号伝送部１０は、図２に示したように第二の回転部１２ｂに形成したスリップリング１０ｅ〜１０ｈと、これに対応したブラシ１０ａ〜１０ｄとから構成しているため、非常に小型にすることができる。従来の電力・信号伝送部１０は、開口部１２ｃの外側に位置する第一の回転部１２ａに相当するスキャナ回転部１２に構成していたため、このスキャナ回転部１２の直径が約１ｍ前後になると、同等の径を有する非常に大型のものになってしまうが、径小の第二の回転部１２ｂに合わせて小型にすることができる。
【００１９】
上述した第二の回転部１２ｂ内には、図３に示すように電力・信号伝送部１０側から制御ユニット２、高電圧発生装置３、および排気口１３ａを有するラジエータ１３が配置されている。ラジエータ１３の軸方向の右端に支持板１６が設けられ、また左端には支持を兼用すると共に熱的な干渉を防止するように仕切った仕切板１７が設けられている。制御ユニット２は、高電圧発生装置３側から見ると図４に示すようにスキャナ回転部１２の回転中心軸１２ｄの近傍にインバータを構成するＩＧＢＴ１８を配置し、このＩＧＢＴ１８の下部に配置したその冷却用ヒートシンク１９、平滑コンデンサ２２および共振コンデンサ２４、源流制限用のリアクトル４０、スイッチング電源４１、インバータ制御用のプリント基板４２などをＩＧＢＴ１８の近傍に配置している。
【００２０】
ここで、図４に示したように制御ユニット２、特にコンバータ２１やインバータ２３のパワーデバイスとしてのＩＧＢＴ１８は、第二の回転部１２ｂ内の空間を積極的に活用して配置されており、またスキャナ回転部１２の回転中心軸１２ｄの近傍に配置しているため、スキャナ回転部１２の回転に伴って受ける遠心力の影響が最小限にされている。
【００２１】
図５および図６は、上述したスキャナ回転部１２を包囲するＣＴ装置カバー４３の側面図および背面図である。
このＣＴ装置カバー４３には、ラジエータ１３に対応する位置の上部に排気口４３ａを形成し、図示しない送風ファンによって支持板１７側から吸い込んだ空気をラジエータ１３に作用させた後、この排気口４３ａから放出するようにしている。またＣＴ装置カバー４３には、制御ユニット２および高電圧発生装置３に対応する位置の下部に形成した吸入口４３ｂと、第二の回転部１２に対応する左端面の中心軸部１２ｄ付近に形成した排気口４３ｃとを有し、図示しない送風ファンによって吸入口４３ｂから吸い込んだ空気を制御ユニット２および高電圧発生装置３に作用させた後、この排気口４３ｃから放出するようにしている。
【００２２】
上述したＸ線ＣＴ装置は、スキャナ回転部１２の慣性モーメントおよびスキャナ回転部１２にかかるトータルの遠心力を最小化して、高速化に対応したスキャナ回転部１２を得ることができると共に、同部への搭載物の機械的強度の確保を容易にすることができる。特に、少なくともＸ線高電圧装置１１の一部を径小の第二の回転部１２ｂ内に配置しているため、このＸ線高電圧装置１１の一部を始めとする構成部品の耐遠心力強度を容易に確保することができる。従って、心臓診断にも適用できる高速スキャンを実現でき、また高速スキャンに対応できる大容量のＸ線高電圧装置１１やマルチスライス対応のＸ線検出器７のスキャナヘの搭載が一層容易となり、高画質の断層画像を表示可能な信頼性の高いＸ線ＣＴ装置を提供できる。
【００２３】
また上述したＸ線ＣＴ装置では、寝台に載置した状態の被検体６を所定位置まで挿入する開口部１２ｃを有するスキャナ回転部１２は、被検体６の挿入を考慮した径大の第一の回転部１２ａと、その径を可能な範囲で小さくした第二の回転部１２ｂとを有して構成している。しかも、径大の第一の回転部１２ａには基本的にＸ線管５およびＸ線検出器７を支持し、第二の回転部１２ｂ内に制御ユニット２、発熱源となる高電圧発生装置３およびラジエータ１３を収納配置している。このため径大の第一の回転部１２ａに支持する機器類は最小限に制限され、しかも制御ユニット２、特にインバータを構成するＩＧＢＴ１８は、第二の回転部１２ｂ内の回転中心軸部近傍に配置することによって同部の受ける慣性モーメントおよび遠心力を小さくすることができ、過酷な条件からの解放によって信頼性を向上させることが可能となる。
【００２４】
ところでＸ線ＣＴ装置は、Ｘ線出力の増加つまりＸ線高電圧装置の大容量化に伴って、スキャナ内部の温度上昇も極めて大きな問題となりつつある。Ｘ線管５に供給された電力はその大部分が熱に変換され、これに加え高電圧発生装置３自体もその電力変換の過程において電力損失が発生するが、これらによるスキャナ内部の温度上昇は大容量化によってますます激しくなる一方であり、これはＸ線検出器７の特性を悪化させる要因となると共に、スキャナ内部温度がＸ線管５の仕様環境温度の一般的な上限である４０℃以下に保つのを困難とならせている。しかしながら、スキャナ回転部１２にほぼ円筒状で径小の第二の回転部１２ｂを構成し、この内部を積極的に活用して発熱部となる高電圧発生装置３を収納配置しているため、円筒構造を利用して収納効率を高めると共に、冷却のための気流形成に利用することができる。
【００２５】
さらに、上述したＸ線ＣＴ装置では、主な二つの熱源であるＸ線高電圧装置１１とラジエータ１３とを近傍に配置しながらも両者間の熱的な干渉を仕切板１７によって遮断したため、従来方式と比較してＸ線高電圧装置１１の周囲温度を下げることができ、冷却効率も向上させることが可能となる。こうしてＸ線高電圧装置１１は、非常に大きな遠心力と高い周囲温度および狭いスペースという非常に過酷な環境から解放され、その分だけ小型軽量化やコスト低減が可能、あるいは大容量化に伴う配置空間を確保することが可能となる。
【００２６】
また上述したＸ線ＣＴ装置では説明を省略したが、実際にＸ線を制御する際には、Ｘ線管５の陽極の回転数を制御する陽極駆動回路も必要となる。この陽極駆動回路もＸ線高電圧装置１１の一部として制御ユニット２の内部に組込んでも良いし、あるいは、陽極駆動同路は比較的軽量なので目標とするスキャン速度が得られる限り第一の回転部１２ａの外周部の適当なスペースに搭載してもよい。また、この他にもＸ線検出部７のプリアンプ７ｂ等にも電源が必要になるので、この場合にはやはり電力・信号伝送部１０に別個のスリップリングとブラシを追加して設けてプリアンプ７ｂ等に電源を供給するようにすれば良い。
【００２７】
図７は、本発明の他の実施の形態によるＸ線ＣＴ装置の概略を示す回路構成図である。
図１に示した実施の形態ではＸ線管５での発熱を抑制するためにラジエータ１３を第二の回転部１２ｂ内に配置したが、ここではラジエータ１３を第一の回転部１２ａ側に配置している。より詳細には、要部斜視図である図８に示すように第一の回転部１２ａの外周部にラジエータ１３を支持し、このラジエータ１３とＸ線管５間をラジエータホース１５で接続しており、詳細な図示を省略したがＣＴ装置カバー４３のラジエータ１３に対応した位置には冷却用の気流を排出する排気口を形成している。一方、第二の回転部１２ｂ内には、図９に示すように制御ユニット２と高電圧発生装置３のみを配置している。その他の構成は、先の実施の形態と同様であり、同等物には同一符号を付けて詳細な説明を省略する。
【００２８】
このような構成のＸ線ＣＴ装置によれば、スキャナ回転部１２の回転中心軸から離れた位置にラジエータ１３が配置されたためラジエータ１３の遠心力に対する機械強度を高めなければならないが、ラジエータ１３とＸ線高電圧装置１１とを図１に示した場合よりも離して配置しているため、両者の熱的影響をさらに分離してその冷却を一層効率的に行うことができる。また、ラジエータ１３を第二の回転部１２ｂ内ではなく第一の回転部１２ａの外周部に配置しているため、その分だけ第二の回転部１２ｂ内に余分のスペースが形成されることになり、この余分スペースに相当する分だけ第二の回転部１２ｂの軸方向長を縮減することができる。
【００２９】
図１０および図１１は、本発明のさらに他の実施の形態によるＸ線ＣＴ装置の概略を示す回路構成図および要部斜視図である。
この実施の形態では、高電圧ケーブル４ｂが一本で済む陽極接地型のＸ線管５を用い、Ｘ線高電圧装置１１の一部であるコンバータ２１をスキャナ回転部１２とは別ユニットにした据置き型とし、このコンバータ２１からの出力を電力・信号伝送部１０に設けたブラシ１０ａ，１０ｂとスリップリング１０ｅ，１０ｆを介してＸ線高電圧装置１１の他の部分であるインバータ２３に供給する構成としている。その他の構成は、図１に示した実施の形態と同様であり、同等物には同一符号を付けて詳細な説明を省略する。
【００３０】
この説明から分かるようにＸ線高電圧装置１１はその全てを必ずしも第二の回転部１２ｂ内に収納する必要はなく、少なくともその一部を第二の回転部１２ｂ内に収納すればよい。このような構成のＸ線ＣＴ装置によれば、据置き型としたコンバータ２１の分だけ第二の回転部１２ｂ内にスペースを得ることになるため、その分だけ第二の回転部１２ｂの軸方向長をさらに縮小したり、あるいはＸ線高電圧装置１１のさらなる大容量化に伴って第二の回転部１２ｂ内に配置している部分の大型化を可能にすることができる。
【００３１】
図１２および図１３は、本発明のさらに他の実施の形態によるＸ線ＣＴ装置の概略を示す回路構成図および要部斜視図である。
このＸ線ＣＴ装置は、陽極接地型のＸ線管５を用い、Ｘ線高電圧装置１１の一部であるコンバータ２１とインバータ２３をスキャナ回転部１２とは別ユニットにした据置き型とし、この別置き型のインバータ２３の出力を電力・信号伝送部１０、例えば特開平７−２０４１９２号公報や特開平８−３３６５２１号公報等に開示された電磁誘導による非接触給電機構４４を介して高電圧変圧器３１に供給する構成としている。コンバータ２１とインバータ２３とを別置きにすることによって、第二の回転部１２ｂ内は、図１４に示すようにコンバータ２１とインバータ２３を除いたＸ線高電圧装置１１の他の部分である高電圧発生装置３と、ラジエータ１３とだけになっている。その他の構成は、図１に示した実施の形態と同様であり、同等物には同一符号を付けて詳細な説明を省略する。
【００３２】
このような構成のＸ線ＣＴ装置によれば、先の実施の形態の場合と同様に、スキャナ回転部１２の慣性モーメントおよびスキャナ回転部１２にかかるトータルの遠心力を最小化して、高速化に対応したスキャナ回転部１２を得ることができると共に、同部への搭載物の機械的強度の確保を容易にすることができる。特に、少なくともＸ線高電圧装置１１の一部を径小の第二の回転部１２ｂ内に配置しているため、このＸ線高電圧装置１１の一部を始めとする構成部品の耐遠心力強度を容易に確保することができる。従って、心臓診断にも適用できる高速スキャンを実現でき、また高速スキャンに対応できる大容量のＸ線高電圧装置１１やマルチスライス対応のＸ線検出器７のスキャナヘの搭載が一層容易となり、高画質の断層画像を表示可能な信頼性の高いＸ線ＣＴ装置を提供できる。
【００３３】
また本実施の形態によるＸ線ＣＴ装置では、据置き型としたコンバータ２１およびインバータ２３の分だけ第二の回転部１２ｂ内にスペースを得ることになるため、その分だけ第二の回転部１２ｂの軸方向長をさらに縮小したり、あるいはＸ線高電圧装置１１のさらなる大容量化に伴って第二の回転部１２ｂ内に配置している部分の大型化を可能にすることができる。また電力・信号伝送部１０は、図１に示したブラシ１０ａ〜１０ｃとスリップリング１０ｅ〜１０ｇを省略することができるので、同部における機械的摺接機構の頻繁で面倒なメンテナンスを簡素化することができる。
【産業上の利用可能性】
【００３４】
上述した各実施の形態でＸ線管５は中性点接地型あるいは陽極接地型の一管球方式として示したが、一管球方式に限らず多管球方式のＸ線ＣＴ装置に適用できる。
【図面の簡単な説明】
【００３５】
【図１】本発明の一実施の形態によるＸ線ＣＴ装置を示す回路図である。
【図２】図１に示したＸ線ＣＴ装置のスキャナ回転部を示す斜視図である。
【図３】図２に示したスキャナ回転部の要部を示す断面図である。
【図４】図３に示したスキャナ回転部の他の要部を示す断面図である。
【図５】図２に示したスキャナ回転部に取り付けるＣＴ装置カバーの正面図である。
【図６】図５に示したＣＴ装置カバーの背面図である。
【図７】本発明の他の実施の形態によるＸ線ＣＴ装置を示す回路図である。
【図８】図７に示したＸ線ＣＴ装置のスキャナ回転部を示す斜視図である。
【図９】図８に示したスキャナ回転部の要部を示す断面図である。
【図１０】本発明のさらに他の実施の形態によるＸ線ＣＴ装置を示す回路図である。
【図１１】図１０に示したＸ線ＣＴ装置のスキャナ回転部を示す斜視図である。
【図１２】本発明のさらに他の実施の形態によるＸ線ＣＴ装置を示す回路図である。
【図１３】図１２に示したＸ線ＣＴ装置のスキャナ回転部を示す斜視図である。
【図１４】図１３に示したスキャナ回転部の要部を示す断面図である。
【符号の説明】
【００３６】
１  商用電源
２  制御ユニット
３  高電圧発生装置
５  Ｘ線管
６  被検体
７  Ｘ線検出部
８  画像処理装置
９  画像表示装置
１０  電力・信号伝送部
１０ａ〜１０ｄ  スリップリング
１０ｅ〜１０ｇ  ブラシ
１１  Ｘ線高電圧装置
１２  スキャナ回転部
１２ａ  第一の回転部
１２ｂ  第二の回転部
１２ｃ  開口部
１２ｄ  回転中心軸
１４  連結部
１７  仕切板
１８  ＩＧＢＴ  ２１  コンバータ
２２  平滑コンデンサ
２３  インバータ
２４  共振コンデンサ
３１  高電圧変圧器
【図１】
2005118070.tif 000003
【図２】
2005118070.tif 000004
【図３】
2005118070.tif 000005
【図４】
2005118070.tif 000006
【図５】
2005118070.tif 000007
【図６】
2005118070.tif 000008
【図７】
2005118070.tif 000009
【図８】
2005118070.tif 000010
【図９】
2005118070.tif 000011
【図１０】
2005118070.tif 000012
【図１１】
2005118070.tif 000013
【図１２】
2005118070.tif 000014
【図１３】
2005118070.tif 000015
【図１４】
2005118070.tif 000016